(57)【要約】【課題】ショッピングサイトにて商品の購入を行なう消費者への実効的かつ魅力的なサービスの提供と、ショッピングサイトへの集客及び商品の販売促進を行ないつつ、広告の掲載を行なう広告主の効果的な営業活動を可能とするように支援する手段を提供する。【解決手段】本サーバ１０は、消費者個人情報の提供に応じて消費者が購入する商品の代金の一部負担を行なう額を示す割引広告をショッピングサイトに掲載し、消費者端末３０より、割引きの適用を受ける割引広告情報を確定する割引広告確定情報を受信する。次いで、本サーバ１０は、当該割引広告に対する割引負担額に基づいて、消費者が負担する消費者費用と広告主が負担する広告主費用とを算出する。そして、本サーバ１０は、割引きの適用を受ける消費者の連絡先情報を当該広告主の広告依頼者端末７０へ送信する。【選択図】図１
2008097140.tif 000002
【特許請求の範囲】
【請求項１】
通信ネットワーク上に開設されたショッピングサイトにて商品の購入を行なう消費者が利用する消費者端末と、前記ショッピングサイトにて商品の販売を行なう店舗の管理者が利用する店舗端末と、前記ショッピングサイトにて広告の掲載を行なう広告主が利用する広告依頼者端末と、それぞれ通信ネットワークを介して接続され、前記消費者の商品購入の負担軽減と前記ショッピングサイトへの集客及び販売促進と前記広告主の効果的な営業活動を支援するようにした装置であって、
前記広告主ごとに付与した広告主識別情報と、前記広告主の名称と連絡先に関する情報を少なくとも含む広告主情報と、を互いに関連付けて記憶する第一記憶手段、
前記店舗ごとに付与した店舗識別情報と、当該店舗の名称と連絡先に関する情報を少なくとも含む店舗情報と、を互いに関連付けて記憶する第二記憶手段、
前記消費者ごとに付与した消費者識別情報と、当該消費者の氏名や年齢、性別、連絡先といった消費者情報と、を互いに関連付けて記憶する第三記憶手段、
広告情報と、当該広告ごとに付与した広告識別情報と、当該広告を依頼する広告主識別情報と、を互いに関連付けて記憶する第四記憶手段、
前記広告識別情報と、消費者個人情報の提供に応じて消費者が購入する商品の代金の一部負担を行なう額を示す割引負担額情報と、割引きの適用を実行する商品購入合計金額の範囲を示す割引対象購入額情報と、を互いに関連付けて記憶する第五記憶手段、
前記商品ごとに付与した商品識別情報と、当該商品の価格情報と、前記商品を販売する前記店舗識別情報とを互いに関連付けて記憶する第六記憶手段、
前記消費者端末より、消費者識別情報と、購入を希望する商品識別情報と、当該商品の購入希望個数情報と、当該商品を販売する店舗識別情報と、を含む注文情報を受信し、商品の購入を終了する決済情報を受信するまで当該注文情報をまとめて記憶する注文情報受信手段、
前記消費者端末より、消費者識別情報を含む決済情報を受信する決済情報受信手段、
前記決済情報の受信に応じ、前記注文情報受信手段にまとめて記憶する前記注文情報を全て受信し、前記第二記憶手段を参照して前記注文情報に含まれる店舗識別情報に基づき店舗情報を抽出すると共に、当該店舗端末に対して前記注文情報を送信し、前記第六記憶手段を参照して前記注文情報に含まれる少なくとも商品識別情報に基づき当該商品の価格情報を抽出し、当該価格情報に、前記注文情報に含まれる購入希望個数情報を乗じて商品購入合計金額となる決済額を算出する第一決済実行手段、
前記決済額の算出に応じ、前記第五記憶手段を参照して前記決済額情報と割引対象購入額情報とを比較して前記ショッピングサイトに掲載する広告識別情報を決定すると共に、当該広告識別情報に応じた割引負担額情報を抽出し、さらに、前記第四記憶手段を参照して前記広告識別情報に基づき広告情報を抽出する掲載広告決定手段、
前記広告情報の抽出に応じ、前記第三記憶手段を参照して前記注文情報に含まれる消費者識別情報に基づき消費者情報を抽出すると共に、算出した前記決済額情報と、抽出した前記割引負担額情報と、前記広告情報とからなる割引広告情報を、前記消費者端末へ送信する割引広告情報送信手段、
前記割引広告情報の送信に応じ、当該割引広告情報に基づき割引きの適用を受ける場合に、当該消費者に対する前記決済額情報と、当該広告に対する前記割引負担額情報に基づいて、前記消費者が負担する消費者費用と前記広告主が負担する広告主費用とを算出する第二決済実行手段、
前記広告主費用の決定に応じ、前記第一記憶手段を参照して前記広告主識別情報に基づき広告主情報を抽出し、前記割引広告情報を送信した消費者の連絡先情報を当該広告依頼者端末へ送信する割引適用消費者情報送信手段、
を少なくとも有していることを特徴とするショッピング支援装置。
【請求項２】
前記消費者端末より、割引広告情報の中から興味のある割引広告情報を選択する割引広告選択情報を受信し、割引広告情報の選択を終了する割引広告選択終了情報を受信するまで当該割引広告情報をまとめて記憶する割引広告選択情報受信手段、
前記消費者端末より、消費者識別情報を含む割引広告選択終了情報を受信する割引広告選択終了情報受信手段、
前記割引広告選択終了情報の受信に応じ、前記割引広告選択情報受信手段にまとめて記憶する前記割引広告情報を全て受信し、当該割引広告情報を前記消費者端末へ送信する選択割引広告情報送信手段、
前記消費者端末より、割引広告情報の中から割引きの適用を受ける割引広告情報を確定する割引広告確定情報を消費者識別情報と共に受信する割引広告確定情報受信手段、
をさらに有し、
前記割引広告情報送信手段は、前記掲載広告決定手段が複数の広告情報を抽出した場合、前記割引広告情報を全て前記消費者端末へ送信し、その後、前記消費者端末より、前記割引広告確定情報を受信した場合に、当該割引広告確定情報によって確定する割引広告情報を、前記消費者端末へ送信する、
ことを特徴とする請求項１に記載のショッピング支援装置。
【請求項３】
前記第三記憶手段は、消費者情報として前記消費者の興味ある分野といった属性に関する消費者属性情報をさらに記憶し、
前記第四記憶手段は、前記ショッピングサイトにて広告掲載を実行する場合の消費者の属性条件を示す消費者属性条件情報を前記広告識別情報と関連付けてさらに記憶し、
前記掲載広告決定手段は、前記決済額の算出に応じ、予め前記第三記憶手段を参照して前記注文情報に含まれる消費者識別情報に基づき前記消費者属性情報を抽出し、引き続き前記第四記憶手段を参照して前記消費者属性情報と前記消費者属性条件情報とを比較して、広告掲載を実行するか否か判定し、前記判定の結果、前記消費者属性情報が前記消費者属性条件情報に合致して広告掲載を実行する場合に、合致する前記消費者属性条件情報を有する広告識別情報を抽出し、その後、前記第五記憶手段を参照して当該広告識別情報に応じた割引負担額情報を抽出して前記決済額情報と比較する、
ことを特徴とする請求項１又は２に記載のショッピング支援装置
【請求項４】
割引きの適用を受けた消費者識別情報と、割引きを適用した対象広告の広告識別情報とを関連付けて記憶する第七記憶手段をさらに有し、
前記掲載広告決定手段は、広告掲載実行の判定後さらに、前記第七記憶手段を参照して前記消費者識別情報と前記広告識別情報に基づき既に割引きの適用を受けた広告の排除を行なう、
ことを特徴とする請求項１乃至３の何れかに記載のショッピング支援装置。
【請求項５】
前記第二決済実行手段は、前記消費者が購入を希望する商品が複数ある場合、商品ごともしくは当該商品を販売する店舗ごとに、前記決済額の比率に応じて、前記消費者が負担する消費者費用と前記広告主が負担する広告主費用とを算出する、
ことを特徴とする請求項１乃至４の何れかに記載のショッピング支援装置。
【請求項６】
通信ネットワーク上に開設されたショッピングサイトにて商品の購入を行なう消費者が利用する消費者端末と、前記ショッピングサイトにて商品の販売を行なう店舗の管理者が利用する店舗端末と、前記ショッピングサイトにて広告の掲載を行なう広告主が利用する広告依頼者端末と、それぞれ通信ネットワークを介して接続され、前記消費者の商品購入の負担軽減と前記ショッピングサイトへの集客及び販売促進と前記広告主の効果的な営業活動を支援するようにした方法であって、
第一記憶手段が、前記広告主ごとに付与した広告主識別情報と、前記広告主の名称と連絡先に関する情報を少なくとも含む広告主情報と、を互いに関連付けて記憶するステップ、
第二記憶手段が、前記店舗ごとに付与した店舗識別情報と、当該店舗の名称と連絡先に関する情報を少なくとも含む店舗情報と、を互いに関連付けて記憶するステップ、
第三記憶手段が、前記消費者ごとに付与した消費者識別情報と、当該消費者の氏名や年齢、性別、連絡先、といった消費者情報と、を少なくとも含む消費者情報と、を互いに関連付けて記憶するステップ、
第四記憶手段が、広告情報と、当該広告ごとに付与した広告識別情報と、当該広告を依頼する広告主識別情報と、前記ショッピングサイトにて広告掲載を実行する場合の条件を示す消費者条件情報と、を互いに関連付けて記憶するステップ、
第五記憶手段が、前記広告識別情報と、消費者個人情報の提供に応じて消費者が購入する商品の代金の一部負担を行なう額を示す割引負担額情報と、割引きの適用を実行する商品購入合計金額の範囲を示す割引対象購入額情報と、を互いに関連付けて記憶するステップ、
第六記憶手段が、前記商品ごとに付与した商品識別情報と、当該商品の価格情報と、前記商品を販売する前記店舗識別情報とを互いに関連付けて記憶するステップ、
注文情報受信手段が、消費者識別情報と、購入を希望する商品識別情報と、当該商品の購入希望個数情報と、当該商品を販売する店舗識別情報と、を含む注文情報を前記消費者端末より受信し、商品の購入を終了する決済情報を受信するまで当該注文情報をまとめて記憶するステップ、
決済情報受信手段が、前記消費者端末より送信された、消費者識別情報を含む決済情報を受信するステップ、
第一決済実行手段が、前記決済情報の受信に応じ、前記注文情報受信手段にまとめて記憶する前記注文情報を全て受信し、前記第二記憶手段を参照して前記注文情報に含まれる店舗識別情報に基づき店舗情報を抽出すると共に、当該店舗端末に対して前記注文情報を送信するステップ、
第一決済実行手段が、前記決済情報の受信に応じ、前記第二記憶手段を参照して前記注文情報に含まれる店舗識別情報に基づき店舗情報を抽出すると共に、当該店舗端末に対して前記注文情報を送信し、前記第六記憶手段を参照して前記注文情報に含まれる少なくとも商品識別情報に基づき当該商品の価格情報を抽出し、当該価格情報に、前記注文情報に含まれる購入希望個数情報を乗じて商品購入合計金額となる決済額を算出するステップ、
掲載広告決定手段が、前記決済額の算出に応じ、前記第五記憶手段を参照して前記決済額情報と割引対象購入額情報とを比較して前記ショッピングサイトに掲載する広告識別情報を決定すると共に、当該広告識別情報に応じた割引負担額情報を抽出し、さらに、前記第四記憶手段を参照して前記広告識別情報に基づき広告情報を抽出するステップ、
割引広告情報送信手段が、前記広告情報の抽出に応じ、前記第三記憶手段を参照して前記注文情報に含まれる消費者識別情報に基づき消費者情報を抽出すると共に、算出した前記決済額情報と、抽出した前記割引負担額情報と、前記広告情報とからなる割引広告情報を、前記消費者端末へ送信するステップ、
第二決済実行手段が、前記割引広告情報の前記消費者端末への送信に応じ、当該割引広告情報に基づき割引きの適用を受ける場合に、当該消費者に対する前記決済額情報と、当該広告に対する前記割引負担額情報に基づいて、前記消費者が負担する消費者費用と前記広告主が負担する広告主費用とを算出するステップ、
割引適用消費者情報送信手段が、前記広告主費用の決定に応じ、前記第一記憶手段を参照して前記広告主識別情報に基づき広告主情報を抽出し、前記割引広告情報を送信した消費者の連絡先情報を当該広告依頼者端末へ送信するステップ、
を少なくとも有してなることを特徴とするショッピング支援方法。
【請求項７】
通信ネットワーク上に開設されたショッピングサイトにて商品の購入を行なう消費者が利用する消費者端末と、前記ショッピングサイトにて商品の販売を行なう店舗の管理者が利用する店舗端末と、前記ショッピングサイトにて広告の掲載を行なう広告主が利用する広告依頼者端末と、それぞれ通信ネットワークを介して接続され、前記広告主ごとに付与した広告主識別情報と、前記広告主の名称と連絡先に関する情報を少なくとも含む広告主情報と、を互いに関連付けて記憶する第一記憶手段、前記店舗ごとに付与した店舗識別情報と、当該店舗の名称と連絡先に関する情報を少なくとも含む店舗情報と、を互いに関連付けて記憶する第二記憶手段、前記消費者ごとに付与した消費者識別情報と、当該消費者の氏名や年齢、性別、連絡先といった消費者情報と、を互いに関連付けて記憶する第三記憶手段、広告情報と、当該広告ごとに付与した広告識別情報と、当該広告を依頼する広告主識別情報と、を互いに関連付けて記憶する第四記憶手段、前記広告識別情報と、消費者個人情報の提供に応じて消費者が購入する商品の代金の一部負担を行なう額を示す割引負担額情報と、割引きの適用を実行する商品購入合計金額の範囲を示す割引対象購入額情報と、を互いに関連付けて記憶する第五記憶手段、前記商品ごとに付与した商品識別情報と、当該商品の価格情報と、前記商品を販売する前記店舗識別情報とを互いに関連付けて記憶する第六記憶手段、を予め有し、前記消費者の商品購入の負担軽減と前記ショッピングサイトへの集客及び販売促進と前記広告主の効果的な営業活動を支援することを実行させるためにコンピュータを、
消費者識別情報と、購入を希望する商品識別情報と、当該商品の購入希望個数情報と、当該商品を販売する店舗識別情報と、を含む注文情報を前記消費者端末より受信し、商品の購入を終了する決済情報を受信するまで当該注文情報をまとめて記憶する手段、
消費者識別情報を含む決済情報を前記消費者端末より受信する手段、
前記決済情報の受信に応じ、前記注文情報受信手段にまとめて記憶する前記注文情報を全て受信し、前記第二記憶手段を参照して前記注文情報に含まれる店舗識別情報に基づき店舗情報を抽出すると共に、当該店舗端末に対して前記注文情報を送信し、前記第六記憶手段を参照して前記注文情報に含まれる少なくとも商品識別情報に基づき当該商品の価格情報を抽出し、当該価格情報に、前記注文情報に含まれる購入希望個数情報を乗じて商品購入合計金額となる決済額を算出する手段、
前記決済額の算出に応じ、前記第五記憶手段を参照して前記決済額情報と割引対象購入額情報とを比較して前記ショッピングサイトに掲載する広告識別情報を決定すると共に、当該広告識別情報に応じた割引負担額情報を抽出し、さらに、前記第四記憶手段を参照して前記広告識別情報に基づき広告情報を抽出する手段、
前記広告情報の抽出に応じ、前記第三記憶手段を参照して前記注文情報に含まれる消費者識別情報に基づき消費者情報を抽出すると共に、算出した前記決済額情報と、抽出した前記割引負担額情報と、前記広告情報とからなる割引広告情報を、前記消費者端末へ送信する手段、
前記割引広告情報の前記消費者端末への送信に応じ、当該割引広告情報に基づき割引きの適用を受ける場合に、当該消費者に対する前記決済額情報と、当該広告に対する前記割引負担額情報に基づいて、前記消費者が負担する消費者費用と前記広告主が負担する広告主費用とを算出する手段、
前記広告主費用の決定に応じ、前記第一記憶手段を参照して前記広告主識別情報に基づき広告主情報を抽出し、前記割引広告情報を送信した消費者の連絡先情報を当該広告依頼者端末へ送信する手段、
として機能させることを特徴とするショッピング支援プログラム。
【発明の詳細な説明】
【技術分野】
【０００１】
本発明は、通信ネットワーク上に開設されたショッピングサイトでの商品の売買を支援するようにしたショッピング支援装置、ショッピング支援方法、及びショッピング支援プログラムに係り、詳しくは、ショッピングサイトにて商品の購入を行なう消費者の費用負担軽減と、ショッピングサイトへの集客及び商品の販売促進と、ショッピングサイトにて広告の掲載を行なう広告主の効果的な営業活動と、を支援するようにした技術に関するものである。
【背景技術】
【０００２】
近年、インターネット等の通信ネットワーク上にウェブサイトを開設して仮想的な店舗を提供し、当該ウェブサイトの店舗にて商品の売買を行うというビジネス形態が普及している。こうしたウェブサイトはショッピングサイトと呼ばれ、現在では、複数のショッピングサイトを統合して一個所で複数の種類の商品を購入することができるようにした、ショッピングモールサイトと呼ばれる仮想的な商店街が構築されている。
【０００３】
こうしたショッピングモールサイトでは、ユーザがパーソナルコンピュータ等の通信端末を用いて通信ネットワーク上のショッピングモールサイトのホームページをダウンロードし、ホームページ上から所望の商品を注文することで、この注文情報は当該商品を取り扱っている店舗の通信端末に転送される。そして、店舗では、この注文情報に対応する商品を取り揃えて発送し、ショッピングモールでショッピングした商品は、物流業者により各家庭に配送されるようにしている。
【０００４】
そこで、このようなショッピングモールサイトでのショッピングを一層促進させるための手段として、広告主がショッピングサイトに広告を掲載し、当該ショッピングサイトで商品の購入を行なう消費者が当該広告を積極的に見てくれた場合、当該ショッピングサイトでの購入金額に応じて、たとえば、購入金額から一定の金額を割引いたり、通信ネットワーク上のショッピングにおいて使用できるポイントを付与したりするといった付加的なサービス（インセンティブ）を、広告主が消費者に対して与えるようにすることが行なわれている（たとえば、特許文献１乃至３参照）。
【０００５】
一方、ショッピングサイトでの商品の購入金額を割引くといった消費者にとって実効的かつ魅力的なサービスではないが、消費者の趣味・嗜好や、住所、電話番号、電子メールアドレスといった当該消費者への接触を可能とする個人情報を得て、その後に企業が営業活動を行うことを目的として、クイズやアンケートに答えてくれた消費者に対して、当該企業が商品をプレゼントしたり、ネットワーク上のショッピングにおいて使用できるポイントを付与したりするといった付加的なサービスを提供する、所謂アンケートサイト・懸賞サイトと呼ばれるものもある。
【０００６】
【特許文献１】特開２００２−２２９５７３号公報
【特許文献２】特開２００２−２４５０５６号公報
【特許文献３】特開２００３−３１６９９８号公報
【発明の開示】
【発明が解決しようとする課題】
【０００７】
しかしながら、上述した従来技術では何れも、広告主は、購入金額から一定の金額を割り引いたり、ポイントを付与したりする付加的なサービスに要する費用を負担するだけで、当該サービスの提供を受けた消費者の電話番号や住所、電子メールアドレスといった当該消費者への接触を可能とする個人情報を得ることが出来ず、広告を提供した後に、継続した営業活動を行うことが出来ないものであった。しかも、広告主としては、単に広告を見てくれた消費者よりも、当該広告をみた後に資料請求や見積り依頼といった積極的な行動を取ってくれた消費者に対して手厚いサービスを提供したいが、今のところ広告を見た消費者に対しては皆一律に同じ付加的なサービスを与えることしかできないものであった。
またバナー広告などが一般的に行われているが、これらの広告はＷｅｂページ上に張られているだけであり、ユーザはＷｅｂページ内の情報を見ようとしているのであって、バナー広告を見ることを意図していないため、広告効果は極めて低いものであり、ダイレクトに広告の情報を必要としているユーザに広告を見せることができないという問題があった。また、これらの広告手法は、バナー広告を掲載しているホームページの所有者にインセンティブがあるが、それを実際に見たユーザには直接的なメリットがなく、広告効果は極めて薄いものであった。
また、バナー広告の場合、それをクリックしてアンケートなどに答えさせる場合などには、ユーザが虚偽の住所や氏名、性別、年齢などを入力しても、これを確認することはできず、いたずらでこれらのことが行われてしまうし、また広告主が得られる情報も確かなものではない場合も多くなってしまうという問題があった。
【０００８】
本発明は、上記事情に鑑みて成されたものであり、ショッピングサイトにて商品の購入を行なう消費者への実効的かつ魅力的なサービスの提供と、ショッピングサイトへの集客及び商品の販売促進を行ないつつ、広告の掲載を行なう広告主の効果的な営業活動を可能とするようにしたショッピング支援装置、ショッピング支援方法、及びショッピング支援プログラムを提供することを目的とする。
【課題を解決するための手段】
【０００９】
本発明のショッピング支援装置は、通信ネットワーク上に開設されたショッピングサイトにて商品の購入を行なう消費者が利用する消費者端末と、前記ショッピングサイトにて商品の販売を行なう店舗の管理者が利用する店舗端末と、前記ショッピングサイトにて広告の掲載を行なう広告主が利用する広告依頼者端末と、それぞれ通信ネットワークを介して接続され、前記消費者の商品購入の負担軽減と前記ショッピングサイトへの集客及び販売促進と前記広告主の効果的な営業活動を支援するようにした装置であって、前記広告主ごとに付与した広告主識別情報と、前記広告主の名称と連絡先に関する情報を少なくとも含む広告主情報と、を互いに関連付けて記憶する第一記憶手段、前記店舗ごとに付与した店舗識別情報と、当該店舗の名称と連絡先に関する情報を少なくとも含む店舗情報と、を互いに関連付けて記憶する第二記憶手段、前記消費者ごとに付与した消費者識別情報と、当該消費者の氏名や年齢、性別、連絡先といった消費者情報と、を互いに関連付けて記憶する第三記憶手段、広告情報と、当該広告ごとに付与した広告識別情報と、当該広告を依頼する広告主識別情報と、を互いに関連付けて記憶する第四記憶手段、前記広告識別情報と、消費者個人情報の提供に応じて消費者が購入する商品の代金の一部負担を行なう額を示す割引負担額情報と、割引きの適用を実行する商品購入合計金額の範囲を示す割引対象購入額情報と、を互いに関連付けて記憶する第五記憶手段、前記商品ごとに付与した商品識別情報と、当該商品の価格情報と、前記商品を販売する前記店舗識別情報とを互いに関連付けて記憶する第六記憶手段、前記消費者端末より、消費者識別情報と、購入を希望する商品識別情報と、当該商品の購入希望個数情報と、当該商品を販売する店舗識別情報と、を含む注文情報を受信し、商品の購入を終了する決済情報を受信するまで当該注文情報をまとめて記憶する注文情報受信手段、前記消費者端末より、消費者識別情報を含む決済情報を受信する決済情報受信手段、前記決済情報の受信に応じ、前記注文情報受信手段にまとめて記憶する前記注文情報を全て受信し、前記第二記憶手段を参照して前記注文情報に含まれる店舗識別情報に基づき店舗情報を抽出すると共に、当該店舗端末に対して前記注文情報を送信し、前記第六記憶手段を参照して前記注文情報に含まれる少なくとも商品識別情報に基づき当該商品の価格情報を抽出し、当該価格情報に、前記注文情報に含まれる購入希望個数情報を乗じて商品購入合計金額となる決済額を算出する第一決済実行手段、前記決済額の算出に応じ、前記第五記憶手段を参照して前記決済額情報と割引対象購入額情報とを比較して前記ショッピングサイトに掲載する広告識別情報を決定すると共に、当該広告識別情報に応じた割引負担額情報を抽出し、さらに、前記第四記憶手段を参照して前記広告識別情報に基づき広告情報を抽出する掲載広告決定手段、前記広告情報の抽出に応じ、前記第三記憶手段を参照して前記注文情報に含まれる消費者識別情報に基づき消費者情報を抽出すると共に、算出した前記決済額情報と、抽出した前記割引負担額情報と、前記広告情報とからなる割引広告情報を、前記消費者端末へ送信する割引広告情報送信手段、前記割引広告情報の送信に応じ、当該割引広告情報に基づき割引きの適用を受ける場合に、当該消費者に対する前記決済額情報と、当該広告に対する前記割引負担額情報に基づいて、前記消費者が負担する消費者費用と前記広告主が負担する広告主費用とを算出する第二決済実行手段、前記広告主費用の決定に応じ、前記第一記憶手段を参照して前記広告主識別情報に基づき広告主情報を抽出し、前記割引広告情報を送信した消費者の連絡先情報を当該広告依頼者端末へ送信する割引適用消費者情報送信手段、を少なくとも有していることを特徴とする。
【００１０】
また、本発明のショッピング支援装置は、前記消費者端末より、割引広告情報の中から興味のある割引広告情報を選択する割引広告選択情報を受信し、割引広告情報の選択を終了する割引広告選択終了情報を受信するまで当該割引広告情報をまとめて記憶する割引広告選択情報受信手段、前記消費者端末より、消費者識別情報を含む割引広告選択終了情報を受信する割引広告選択終了情報受信手段、前記割引広告選択終了情報の受信に応じ、前記割引広告選択情報受信手段にまとめて記憶する前記割引広告情報を全て受信し、当該割引広告情報を前記消費者端末へ送信する選択割引広告情報送信手段、前記消費者端末より、割引広告情報の中から割引きの適用を受ける割引広告情報を確定する割引広告確定情報を消費者識別情報と共に受信する割引広告確定情報受信手段、をさらに有し、前記割引広告情報送信手段は、前記掲載広告決定手段が複数の広告情報を抽出した場合、前記割引広告情報を全て前記消費者端末へ送信し、その後、前記消費者端末より、前記割引広告確定情報を受信した場合に、当該割引広告確定情報によって確定する割引広告情報を、前記消費者端末へ送信するものとしても良い。
【００１１】
また、本発明のショッピング支援装置は、前記第三記憶手段が、消費者情報として前記消費者の興味ある分野といった属性に関する消費者属性情報をさらに記憶し、前記第四記憶手段が、前記ショッピングサイトにて広告掲載を実行する場合の消費者の属性条件を示す消費者属性条件情報を前記広告識別情報と関連付けてさらに記憶し、前記掲載広告決定手段が、前記決済額の算出に応じ、予め前記第三記憶手段を参照して前記注文情報に含まれる消費者識別情報に基づき前記消費者属性情報を抽出し、引き続き前記第四記憶手段を参照して前記消費者属性情報と前記消費者属性条件情報とを比較して、広告掲載を実行するか否か判定し、前記判定の結果、前記消費者属性情報が前記消費者属性条件情報に合致して広告掲載を実行する場合に、合致する前記消費者属性条件情報を有する広告識別情報を抽出し、その後、前記第五記憶手段を参照して当該広告識別情報に応じた割引負担額情報を抽出して前記決済額情報と比較するものとしても良い。
【００１２】
また、本発明のショッピング支援装置は、割引きの適用を受けた消費者識別情報と、割引きを適用した対象広告の広告識別情報とを関連付けて記憶する第七記憶手段をさらに有し、前記掲載広告決定手段は、広告掲載実行の判定後さらに、前記第七記憶手段を参照して前記消費者識別情報と前記広告識別情報に基づき既に割引きの適用を受けた広告の排除を行なうものとしても良い。
【００１３】
さらに、本発明のショッピング支援装置は、前記第二決済実行手段が、前記消費者が購入を希望する商品が複数ある場合、商品ごともしくは当該商品を販売する店舗ごとに、前記決済額の比率に応じて、前記消費者が負担する消費者費用と前記広告主が負担する広告主費用とを算出するものとしても良い。
【００１４】
また、本発明のショッピング支援方法は、通信ネットワーク上に開設されたショッピングサイトにて商品の購入を行なう消費者が利用する消費者端末と、前記ショッピングサイトにて商品の販売を行なう店舗の管理者が利用する店舗端末と、前記ショッピングサイトにて広告の掲載を行なう広告主が利用する広告依頼者端末と、それぞれ通信ネットワークを介して接続され、前記消費者の商品購入の負担軽減と前記ショッピングサイトへの集客及び販売促進と前記広告主の効果的な営業活動を支援するようにした方法であって、第一記憶手段が、前記広告主ごとに付与した広告主識別情報と、前記広告主の名称と連絡先に関する情報を少なくとも含む広告主情報と、を互いに関連付けて記憶するステップ、第二記憶手段が、前記店舗ごとに付与した店舗識別情報と、当該店舗の名称と連絡先に関する情報を少なくとも含む店舗情報と、を互いに関連付けて記憶するステップ、第三記憶手段が、前記消費者ごとに付与した消費者識別情報と、当該消費者の氏名や年齢、性別、連絡先、といった消費者情報と、を少なくとも含む消費者情報と、を互いに関連付けて記憶するステップ、第四記憶手段が、広告情報と、当該広告ごとに付与した広告識別情報と、当該広告を依頼する広告主識別情報と、前記ショッピングサイトにて広告掲載を実行する場合の条件を示す消費者条件情報と、を互いに関連付けて記憶するステップ、第五記憶手段が、前記広告識別情報と、消費者個人情報の提供に応じて消費者が購入する商品の代金の一部負担を行なう額を示す割引負担額情報と、割引きの適用を実行する商品購入合計金額の範囲を示す割引対象購入額情報と、を互いに関連付けて記憶するステップ、第六記憶手段が、前記商品ごとに付与した商品識別情報と、当該商品の価格情報と、前記商品を販売する前記店舗識別情報とを互いに関連付けて記憶するステップ、注文情報受信手段が、消費者識別情報と、購入を希望する商品識別情報と、当該商品の購入希望個数情報と、当該商品を販売する店舗識別情報と、を含む注文情報を前記消費者端末より受信し、商品の購入を終了する決済情報を受信するまで当該注文情報をまとめて記憶するステップ、決済情報受信手段が、前記消費者端末より送信された、消費者識別情報を含む決済情報を受信するステップ、第一決済実行手段が、前記決済情報の受信に応じ、前記注文情報受信手段にまとめて記憶する前記注文情報を全て受信し、前記第二記憶手段を参照して前記注文情報に含まれる店舗識別情報に基づき店舗情報を抽出すると共に、当該店舗端末に対して前記注文情報を送信するステップ、第一決済実行手段が、前記決済情報の受信に応じ、前記第二記憶手段を参照して前記注文情報に含まれる店舗識別情報に基づき店舗情報を抽出すると共に、当該店舗端末に対して前記注文情報を送信し、前記第六記憶手段を参照して前記注文情報に含まれる少なくとも商品識別情報に基づき当該商品の価格情報を抽出し、当該価格情報に、前記注文情報に含まれる購入希望個数情報を乗じて商品購入合計金額となる決済額を算出するステップ、掲載広告決定手段が、前記決済額の算出に応じ、前記第五記憶手段を参照して前記決済額情報と割引対象購入額情報とを比較して前記ショッピングサイトに掲載する広告識別情報を決定すると共に、当該広告識別情報に応じた割引負担額情報を抽出し、さらに、前記第四記憶手段を参照して前記広告識別情報に基づき広告情報を抽出するステップ、割引広告情報送信手段が、前記広告情報の抽出に応じ、前記第三記憶手段を参照して前記注文情報に含まれる消費者識別情報に基づき消費者情報を抽出すると共に、算出した前記決済額情報と、抽出した前記割引負担額情報と、前記広告情報とからなる割引広告情報を、前記消費者端末へ送信するステップ、第二決済実行手段が、前記割引広告情報の前記消費者端末への送信に応じ、当該割引広告情報に基づき割引きの適用を受ける場合に、当該消費者に対する前記決済額情報と、当該広告に対する前記割引負担額情報に基づいて、前記消費者が負担する消費者費用と前記広告主が負担する広告主費用とを算出するステップ、割引適用消費者情報送信手段が、前記広告主費用の決定に応じ、前記第一記憶手段を参照して前記広告主識別情報に基づき広告主情報を抽出し、前記割引広告情報を送信した消費者の連絡先情報を当該広告依頼者端末へ送信するステップ、を少なくとも有してなることを特徴とする。
【００１５】
また、本発明のショッピング支援プログラムは、通信ネットワーク上に開設されたショッピングサイトにて商品の購入を行なう消費者が利用する消費者端末と、前記ショッピングサイトにて商品の販売を行なう店舗の管理者が利用する店舗端末と、前記ショッピングサイトにて広告の掲載を行なう広告主が利用する広告依頼者端末と、それぞれ通信ネットワークを介して接続され、前記広告主ごとに付与した広告主識別情報と、前記広告主の名称と連絡先に関する情報を少なくとも含む広告主情報と、を互いに関連付けて記憶する第一記憶手段、前記店舗ごとに付与した店舗識別情報と、当該店舗の名称と連絡先に関する情報を少なくとも含む店舗情報と、を互いに関連付けて記憶する第二記憶手段、前記消費者ごとに付与した消費者識別情報と、当該消費者の氏名や年齢、性別、連絡先といった消費者情報と、を互いに関連付けて記憶する第三記憶手段、広告情報と、当該広告ごとに付与した広告識別情報と、当該広告を依頼する広告主識別情報と、を互いに関連付けて記憶する第四記憶手段、前記広告識別情報と、消費者個人情報の提供に応じて消費者が購入する商品の代金の一部負担を行なう額を示す割引負担額情報と、割引きの適用を実行する商品購入合計金額の範囲を示す割引対象購入額情報と、を互いに関連付けて記憶する第五記憶手段、前記商品ごとに付与した商品識別情報と、当該商品の価格情報と、前記商品を販売する前記店舗識別情報とを互いに関連付けて記憶する第六記憶手段、を予め有し、前記消費者の商品購入の負担軽減と前記ショッピングサイトへの集客及び販売促進と前記広告主の効果的な営業活動を支援することを実行させるためにコンピュータを、消費者識別情報と、購入を希望する商品識別情報と、当該商品の購入希望個数情報と、当該商品を販売する店舗識別情報と、を含む注文情報を前記消費者端末より受信し、商品の購入を終了する決済情報を受信するまで当該注文情報をまとめて記憶する手段、消費者識別情報を含む決済情報を前記消費者端末より受信する手段、前記決済情報の受信に応じ、前記注文情報受信手段にまとめて記憶する前記注文情報を全て受信し、前記第二記憶手段を参照して前記注文情報に含まれる店舗識別情報に基づき店舗情報を抽出すると共に、当該店舗端末に対して前記注文情報を送信し、前記第六記憶手段を参照して前記注文情報に含まれる少なくとも商品識別情報に基づき当該商品の価格情報を抽出し、当該価格情報に、前記注文情報に含まれる購入希望個数情報を乗じて商品購入合計金額となる決済額を算出する手段、前記決済額の算出に応じ、前記第五記憶手段を参照して前記決済額情報と割引対象購入額情報とを比較して前記ショッピングサイトに掲載する広告識別情報を決定すると共に、当該広告識別情報に応じた割引負担額情報を抽出し、さらに、前記第四記憶手段を参照して前記広告識別情報に基づき広告情報を抽出する手段、前記広告情報の抽出に応じ、前記第三記憶手段を参照して前記注文情報に含まれる消費者識別情報に基づき消費者情報を抽出すると共に、算出した前記決済額情報と、抽出した前記割引負担額情報と、前記広告情報とからなる割引広告情報を、前記消費者端末へ送信する手段、前記割引広告情報の前記消費者端末への送信に応じ、当該割引広告情報に基づき割引きの適用を受ける場合に、当該消費者に対する前記決済額情報と、当該広告に対する前記割引負担額情報に基づいて、前記消費者が負担する消費者費用と前記広告主が負担する広告主費用とを算出する手段、前記広告主費用の決定に応じ、前記第一記憶手段を参照して前記広告主識別情報に基づき広告主情報を抽出し、前記割引広告情報を送信した消費者の連絡先情報を当該広告依頼者端末へ送信する手段、として機能させることを特徴とする。
【発明の効果】
【００１６】
本発明によれば、広告主は、ショッピングサイトへ掲載した割引広告情報に対する消費者の積極的な行動に応じ、消費者が当該ショッピングサイトにおいて購入する商品の代金の一部を負担する代わりに当該消費者の連絡先情報の提供を受け、当該連絡先情報に基づいて、資料や見積りの送付といった今後に繋がる効果的な営業活動を行うことが出来ることとなる。しかも、割引広告に対する割引負担額に応じて、個人情報を提供してくれた消費者に対して手厚いサービスを提供することも出来ることになる。
また、消費者が買い物をするために入力した配送先の住所や氏名などを広告主が利用できるため、これら配送先住所や氏名などの属性情報は購入商品を受け取るために確かな情報が入力されるため、広告主が得る情報の正確さも高くなる。また、買い物の際の消費者の情報を利用するため、消費者は一人に一つのＩＤとなり、広告主は属性情報を取得し易くなる。また、消費者がショッピングサイトで買い物をする際の住所、氏名などの情報を利用するため、その情報は商品配送のための消費者は虚偽の情報を入れることがなくなる。そのため、広告主は、より確かな消費者の属性情報を取得することができるし、いたずら等により無駄に資料請求をされることなどを防止できる。
また、消費者は、個人情報を提供して何らかのインセンティブを得る場合に、広告主（企業）側が選んだ景品等を得ることよりも、自分が欲している商品を購入するために代金を割り引いてくれる、より実効的かつ魅力的なサービスを受けることが出来る。また、別途資料請求のための住所入力等の操作を省略することができるため、簡略に資料請求をすることができる。
さらに、店舗は、商品を購入してくれる消費者にとってよりメリットのある広告を掲載することで、ショッピングサイトへの集客及び商品の販売促進が期待出来る。
したがって、本発明では、ショッピングサイトにて商品の購入を行なう消費者への実効的かつ魅力的なサービスの提供と、ショッピングサイトへの集客及び商品の販売促進を行ないつつ、広告の掲載を行なう広告主の効果的な営業活動を可能とするようにしたショッピング支援装置、ショッピング支援方法、及びショッピング支援プログラムを提供することができる。
【発明を実施するための最良の形態】
【００１７】
以下、図面を参照しながら、通信ネットワーク上に開設されたショッピングサイトにて商品の購入を行なう消費者の商品購入の負担軽減と、前記ショッピングサイトへの集客及び販売促進と、前記広告主の効果的な営業活動を支援するようにした本発明に係るショッピング支援装置とショッピング支援方法、及びショッピング支援プログラムの実施の形態について説明する。
本実施形態では、消費者が通信端末を用いて通信ネットワーク上のショッピングサイトのホームページをダウンロードし、当該ホームページ上から所望の商品の購入を行なう場合を例に説明する。
【００１８】
図１は、本発明に係るショッピング支援装置（以下、「本サーバ」という）の実施形態の一例を示すブロック図である。符号１０は本サーバを示す。
図１に示すように、本サーバ１０は、通信ネットワーク上に開設されたショッピングサイトにて商品の購入を行なう消費者が利用する消費者端末３０と、前記ショッピングサイトにて商品の販売を行なう店舗の管理者が利用する店舗端末５０と、前記ショッピングサイトにて広告の掲載を行なう広告主が利用する広告依頼者端末７０と、それぞれ情報の送受信が可能となるよう通信ネットワークＮＷを介して接続された装置である。
【００１９】
通信ネットワークＮＷの例としては、インターネットやＬＡＮ（Local Area Network）などのコンピュータ通信網がある。本サーバ１０及び、消費者端末３０、店舗端末５０、広告依頼者端末７０は、専用線、公衆交換電話網（ＰＳＴＮ）、無線電話網、ＣＡＴＶ網、衛星通信網等の通信回線を介して通信ネットワークＮＷと接続している。
【００２０】
消費者端末３０、店舗端末５０、広告依頼者端末７０は何れも、本サーバ１０と情報の送受信が可能な情報処理装置であればよく、たとえば、パーソナルコンピュータをはじめ、データ通信機能を有するＰＤＡ（Personal Digital Assistant）や携帯電話機などで実現される。なお、図示例ではそれぞれ一つずつの消費者端末３０、店舗端末５０、広告依頼者端末７０しか通信ネットワークＮＷを介して本サーバ１０に接続されていないが、本サーバ１０は、複数の消費者の消費者端末３０、複数の店舗の店舗端末５０、複数の広告主の広告依頼者端末７０とそれぞれ接続されていても良いものである。
【００２１】
また、消費者端末３０、店舗端末５０、広告依頼者端末７０は何れも、図示しないが、ＣＰＵ（中央処理装置）、プログラム記憶部、マウスやキーボード等の入力装置、ディスプレイやスピーカ等の出力装置、ＯＳ（オペレーティング・システム）、ＷＷＷブラウザ、等を有する。
【００２２】
次に、本サーバ１０の構成について説明する。
本サーバ１０は、広告主情報記憶部ＤＢ１と、店舗情報記憶部ＤＢ２と、消費者情報記憶部ＤＢ３と、広告情報記憶部ＤＢ４と、割引負担額情報記憶部ＤＢ５と、商品情報記憶部ＤＢ６と、割引適用情報記憶部ＤＢ７と、決済情報記憶部ＤＢ８と、注文情報受信部１１と、決済情報受信部１２と、第一決済実行部１３と、掲載広告決定部１４と、割引広告情報送信部１５と、割引広告選択情報受信部１６と、割引広告選択終了情報受信部１７と、選択割引広告情報送信部１８と、割引広告確定情報受信部１９と、第二決済実行部２０と、割引適用消費者情報送信部２１と、を少なくとも有している。
【００２３】
また、本サーバ１０は、図示しないが、ＣＰＵ（中央処理装置）やプログラム記憶部等を有する。ＣＰＵは、プログラム記憶部に記憶されたプログラムに従い、本サーバ１０の各構成要素を統制制御し、プログラム処理を実行する。プログラム記憶部は、ＲＯＭ（Read Only Memory）やＲＡＭ（Random Access Memory）等で構成され、本サーバ１０が使用する各種プログラムを記憶している。
【００２４】
なお、本サーバ１０では、本発明に係る設問管理プログラム（以下、「本プログラム」という。）が動作して本サーバ１０内の各手段を制御することで、以下に説明する設問管理方法（以下、「本方法」という。）を実現する。
また、本プログラムを記録したコンピュータ読取可能な記録媒体（以下、「本記録媒体」という。）を用いれば、図示しないコンピュータを本サーバ１０と同様に機能させることができる。すなわち、図示しないコンピュータが、本記録媒体から本プログラムを読み取り、それを実行することで、本方法を実現することができる。
【００２５】
広告主情報記憶部ＤＢ１は、広告主ごとに付与した広告主識別情報（以下、「広告主ＩＤ」という。）と、前記広告主の名称と連絡先に関する情報を少なくとも含む広告主情報と、を互いに関連付けて記憶する手段である。
図２は、広告主情報記憶部ＤＢ１に記憶されている情報の例を示す図である。
たとえば、図２に示す広告主情報データベースでは、広告主ＩＤをインデックスとして、広告主の名称や住所、連絡先（電話番号、ファクシミリ番号もしくは電子メールアドレス）といった所定の広告主情報を１レコードとしてデータベースを構成することを示している。また、広告主情報としてパスワードを必要に応じ含めても良い。この広告主情報は、本システムを利用するため事前に登録を済ませる。この広告主情報の登録によって、広告主ＩＤが発行・付与される。
【００２６】
店舗情報記憶部ＤＢ２は、店舗ごとに付与した店舗識別情報（以下、「店舗ＩＤ」という。）と、当該店舗の名称と連絡先に関する情報を少なくとも含む店舗情報と、を互いに関連付けて記憶する手段である。
図３は、店舗情報記憶部ＤＢ２に記憶されている情報の例を示す図である。
たとえば、図３に示す店舗情報データベースでは、店舗ＩＤをインデックスとして、店舗の名称や住所、連絡先（電話番号、ファクシミリ番号もしくは電子メールアドレス）といった所定の店舗情報を１レコードとしてデータベースを構成することを示している。また、店舗情報としてパスワードを必要に応じ含めても良い。この店舗情報は、本システムを利用するため事前に登録を済ませる。この店舗情報の登録によって、店舗ＩＤが発行・付与される。
【００２７】
消費者情報記憶部ＤＢ３は、消費者ごとに付与した消費者識別情報（以下、「消費者ＩＤ」という。）と、当該消費者の氏名や年齢、性別、連絡先、といった消費者情報と、を互いに関連付けて記憶する手段である。
また、消費者情報記憶部ＤＢ３は、消費者情報として前記消費者の興味ある分野といった属性に関する消費者属性情報をさらに記憶する手段である。
図４は、消費者情報記憶部ＤＢ３に記憶されている情報の例を示す図である。
たとえば、図４に示す消費者情報データベースでは、消費者ＩＤをインデックスとして、消費者の氏名や年齢、性別、連絡先（電話番号、ファクシミリ番号もしくは電子メールアドレス）、興味ある分野といった消費者の属性に関する所定の消費者情報を１レコードとしてデータベースを構成することを示している。また、消費者情報としてパスワードを必要に応じ含めても良い。この消費者情報は、本システムを利用するため事前に登録を済ませる。この消費者情報の登録によって、消費者ＩＤが発行・付与される。
【００２８】
広告情報記憶部ＤＢ４は、広告情報と、当該広告ごとに付与した広告識別情報（以下、「広告ＩＤ」という。）と、当該広告を依頼する広告主ＩＤと、前記ショッピングサイトにて広告掲載を実行する場合の条件を示す消費者条件情報と、を互いに関連付けて記憶する手段である。
また、広告情報記憶部ＤＢ４は、前記ショッピングサイトにて広告掲載を実行する場合の消費者の属性条件を示す消費者属性条件情報を前記広告識別情報と関連付けてさらに記憶する手段である。
図５は、広告情報記憶部ＤＢ４に記憶されている情報の例を示す図である。
たとえば、図５に示す広告情報データベースでは、広告ＩＤをインデックスとして、広告情報、広告主ＩＤ、広告掲載消費者条件情報を１レコードとしてデータベースを構成することを示している。
【００２９】
割引負担額情報記憶部ＤＢ５は、広告ＩＤと、消費者個人情報の提供に応じて消費者が購入する商品の代金の一部負担を行なう額を示す割引負担額情報と、割引きの適用を実行する商品購入合計金額の範囲を示す割引対象購入額情報と、を互いに関連付けて記憶する手段である。なお、前記割引負担額情報には、割引率をも含めるものとする。
図６は、割引負担額情報記憶部ＤＢ５に記憶されている情報の例を示す図である。
たとえば、図６に示す割引負担額情報データベースでは、広告ＩＤをインデックスとして、割引負担額情報、割引対象購入額情報を１レコードとしてデータベースを構成することを示している。
【００３０】
商品情報記憶部ＤＢ６は、商品ごとに付与した商品識別情報（以下、「商品ＩＤ」という。）と、当該商品の価格情報と、前記商品を販売する前記店舗ＩＤとを互いに関連付けて記憶する手段である。
図７は、商品情報記憶部ＤＢ６に記憶されている情報の例を示す図である。
たとえば、図７に示す商品情報データベースでは、店舗ＩＤをインデックスとして、商品ＩＤ、価格情報を１レコードとしてデータベースを構成することを示している。
【００３１】
割引適用情報記憶部ＤＢ７は、割引きの適用を受けた消費者ＩＤと、割引きを適用した対象広告の広告ＩＤとを関連付けて記憶する手段である。
図８は、割引適用情報記憶部ＤＢ７に記憶されている情報の例を示す図である。
たとえば、図８に示す割引適用情報データベースでは、消費者ＩＤをインデックスとして広告ＩＤを１レコードとしてデータベースを構成することを示している。
【００３２】
決済情報記憶部ＤＢ８は、注文情報受信部１１においてまとめて記憶する注文情報に含まれる、消費者ＩＤと、購入を希望する商品の商品ＩＤと、当該商品の購入希望個数情報と、当該商品を販売する店舗の店舗ＩＤと、を互いに関連付けて消費者ごとに記憶する手段である。
図９は、決済情報記憶部ＤＢ８に記憶されている情報の例を示す図である。
たとえば、図９に示す決済情報データベースでは、消費者ＩＤをインデックスとして、店舗ＩＤ、商品ＩＤ、購入個数情報を１レコードとしてデータベースを構成することを示している。
【００３３】
注文情報受信部１１は、消費者端末３０より、消費者ＩＤと購入を希望する商品の商品ＩＤと当該商品の購入希望個数情報と当該商品を販売する店舗ＩＤとを含む注文情報を受信し、商品の購入を終了する決済情報を受信するまで当該注文情報をまとめて記憶する処理を行なう。
注文情報受信部１１では、決済情報受信部１２からの決済情報を受信した旨を通知する情報の受信に応じ、前記注文情報を第一決済実行部１３へ送信すると共に、前記注文情報を決済情報記憶部ＤＢ８へ送信する。
【００３４】
決済情報受信部１２は、消費者端末３０より、消費者ＩＤを含む決済情報を受信する処理を行なう。
決済情報受信部１２では、前記決済情報の受信に伴い、当該決済情報を受信した旨を通知する情報を注文情報受信部１１へ送信する。
【００３５】
第一決済実行部１３は、決済情報受信部１２での決済情報の受信に応じ、前記注文情報受信部１１より送信された前記注文情報を全て受信し、前記店舗情報記憶部ＤＢ２を参照し、前記注文情報受信部１１を参照して抽出した前記注文情報に含まれる店舗ＩＤに基づき店舗情報を抽出すると共に、当該店舗端末５０に対して前記注文情報を送信し、さらに、商品情報記憶部ＤＢ６を参照して前記注文情報に含まれる少なくとも商品ＩＤに基づき当該商品の価格情報を抽出し、当該価格情報に、前記注文情報に含まれる購入希望個数情報を乗じて商品購入合計金額となる決済額を算出する処理を行なう。
第一決済実行部１３では、決済額の算出に応じ、前記注文情報受信部１１より受信した前記注文情報と、算出した決済額情報を割引広告情報送信部１５へ送信すると共に、当該決済額を算出した旨を通知する情報を掲載広告決定部１４へ送信する。
【００３６】
掲載広告決定部１４は、前記第一決済実行部１３での決済額の算出に応じ、割引負担額情報ＤＢ５を参照して前記決済額情報と前記割引対象購入額情報とを比較して前記ショッピングサイトに掲載する広告ＩＤを決定すると共に、当該広告ＩＤに応じた割引負担額情報を抽出し、さらに、広告情報記憶部ＤＢ４を参照して広告ＩＤに基づき広告情報を抽出する処理を行なう。
また、掲載広告決定部１４は、前記第一決済実行部１３での決済額の算出に応じ、予め消費者情報記憶部ＤＢ３を参照し、前記注文情報受信部１１を参照して抽出した前記注文情報に含まれる消費者ＩＤに基づき前記消費者属性情報を抽出し、引き続き広告情報記憶部ＤＢ４を参照して前記消費者属性情報と前記消費者属性条件情報とを比較して、広告掲載を実行するか否か判定し、前記判定の結果、前記消費者属性情報が前記消費者属性条件情報に合致して広告掲載を実行する場合に、合致する前記消費者属性条件情報を有する広告識別情報を抽出し、その後、割引負担額情報ＤＢ５を参照して当該広告ＩＤに基づき割引負担額情報を抽出する処理を行なう。
また、掲載広告決定部１４は、広告掲載実行の判定後さらに、割引適用情報記憶部ＤＢ７を参照して消費者ＩＤと広告ＩＤに基づき既に割引きの適用を受けた広告の排除を行なう処理を行なう。
掲載広告決定部１４では、抽出した割引負担額情報及び広告情報を割引広告情報送信部１５へ送信すると共に、前記割引負担額情報及び前記第一決済実行部１３より受信した決済額情報を第二決済実行部２０へ送信する。
また、掲載広告決定部１４では、複数の広告情報を抽出した場合、割引広告確定情報受信部１９より割引きの適用を受ける割引広告情報を確定する割引広告確定情報を受信し、当該割引広告情報に応じた割引負担額情報を第二決済実行部２０へ送信する。
【００３７】
割引広告情報送信部１５は、前記第一決済実行部１３より送信された前記注文情報と決済額情報、及び掲載広告決定部１４より送信された割引負担額情報及び広告情報の受信に応じ、消費者情報記憶部ＤＢ３を参照し、前記注文情報受信部１１を参照して抽出した前記注文情報に含まれる消費者ＩＤに基づき消費者情報を抽出すると共に、前記決済額情報と前記広告情報及び前記割引負担額情報からなる割引広告情報を全て、前記消費者端末３０へ送信する処理を行なう。
また、割引広告情報送信部１５は、前記掲載広告決定部１４が複数の広告情報を抽出した場合、当該広告情報に応じた割引広告情報を全て消費者端末３０へ送信し、その後、前記消費者端末３０より、割引広告確定情報を受信した場合に、当該割引広告確定情報によって確定する割引広告情報を、前記消費者端末３０へ送信する処理を行なう。
【００３８】
割引広告選択情報受信部１６は、消費者端末３０より、割引広告情報の中から興味のある割引広告情報を選択する割引広告選択情報を受信し、割引広告情報の選択を終了する割引広告選択終了情報を受信するまで当該割引広告情報をまとめて記憶する処理を行なう。
割引広告選択情報受信部１６では、割引広告選択終了情報受信部１７からの割引広告選択終了情報を受信した旨を通知する情報の受信に応じ、前記割引広告情報を選択割引広告情報送信部１８へ送信する。
【００３９】
割引広告選択終了情報受信部１７は、消費者端末３０より、消費者ＩＤを含む割引広告選択終了情報を受信する処理を行なう。
割引広告選択終了情報受信部１７では、前記割引広告選択終了情報の受信に伴い、当該割引広告選択終了情報を受信した旨を通知する情報を前記割引広告選択情報受信部１６へ送信する。
【００４０】
選択割引広告情報送信部１８は、前記割引広告選択情報受信部１６からの割引広告情報の受信に応じ、当該割引広告情報を全て前記消費者端末３０へ送信する処理を行なう。
【００４１】
割引広告確定情報受信部１９は、消費者端末３０より、割引広告情報の中から割引きの適用を受ける割引広告情報を確定する割引広告確定情報を消費者ＩＤと共に受信する処理を行なう。
割引広告確定情報受信部１９では、受信した割引広告確定情報を前記掲載広告決定部１４へ送信する。
【００４２】
第二決済実行部２０は、前記掲載広告決定部１４からの割引負担額情報及び済額情報の受信に応じ、当該消費者に対する前記決済額情報と、当該広告に対する前記割引負担額情報に基づいて、前記消費者が負担する消費者費用と前記広告主が負担する広告主費用とを算出する処理を行なう。
また、第二決済実行部２０は、消費者が購入を希望する商品が複数ある場合、商品ごともしくは当該商品を販売する店舗ごとに、前記決済額の比率に応じて、前記消費者が負担する消費者費用と前記広告主が負担する広告主費用とを算出する処理を行なう。
第二決済実行部２０は、消費者費用と広告主費用情報とを算出した旨を通知する情報を、割引適用消費者情報送信部２１へ送信する。
【００４３】
割引適用消費者情報送信部２１は、第二決済実行部２０からの前記消費者費用及び前記広告主費用を算出した旨を通知する情報の受信に応じ、広告主情報ＤＢ１を参照して前記広告主ＩＤに基づき広告主情報を抽出し、前記割引確定情報を送信した消費者の連絡先情報を当該広告依頼者端末７０へ送信する処理を行なう。
【００４４】
次に、図１に示した本サーバ１０により実行される方法の一例を図１０及び図１１に基づき説明する。図１０及び図１１は、以上のように構成された本発明の実施形態に係る本サーバ１０における処理の流れを示すシーケンス図である。本実施形態では、通信ネットワークＮＷを介して接続された消費者端末３０がショッピングサイトのホームページをダウンロードし、当該ホームページ上から消費者が所望の商品の購入を行なう際に、当該消費者への実効的かつ魅力的なサービスとして商品購入代金の割引き提供と、当該商品購入代金割引きサービスの提供によってショッピングサイトへの集客及び商品の販売促進を行ないつつ、広告依頼者端末７０への当該消費者の連絡先といった個人情報の提供により、広告の掲載を行なって商品購入代金の一部を負担する広告主の効果的な営業活動を可能とするようにした場合について説明する。
【００４５】
まず、本サーバ１０は、ショッピングサイトへの広告の掲載に先立ち、予め広告依頼者に対して広告主情報の入力を求め、受け取った広告主情報を、広告主ごとに付与した広告主ＩＤと、前記広告主の名称と連絡先に関する情報を少なくとも含む広告主情報と、を互いに関連付けて広告主情報記憶部ＤＢ１に記憶しておく（（Ａ）参照）。
また、本サーバ１０は、ショッピングサイトでの商品の販売に先立ち、予め店舗の管理者に対して店舗情報の入力を求め、受け取った店舗情報を、店舗ごとに付与したＩＤと、当該店舗の名称と連絡先に関する情報を少なくとも含む店舗情報と、を互いに関連付けて店舗情報記憶部ＤＢ２に記憶しておく（（Ｂ）参照）。
【００４６】
また、本サーバ１０は、ショッピングサイトでの商品の購入に先立ち、予め消費者に対して消費者情報の入力を求め、受け取った費者情報を、消費者ごとに付与した消費者ＩＤと、当該消費者の氏名や年齢、性別、連絡先、興味ある分野といった消費者の属性に関する消費者情報と、を互いに関連付けて消費者情報記憶部ＤＢ３に記憶しておく（（Ｃ）参照）。
消費者情報の入力は、たとえば図１４に示すような形で表すことが出来る。図１４は、消費者端末３０のディスプレイに表示された消費者情報入力画面の一例を示す図である。この消費者情報入力画面１００には、音楽＆エンターテイメントやホビー、ギャンブル・懸賞、生活情報、スポーツといった興味ある分野について消費者に問うチェックボックス付の興味分野情報チェック欄１０１、所有している車について消費者に問うチェックボックス付の車種情報チェック欄１０２、氏名や性別、生年月日、職業、業種、配偶者の有無、メールアドレス、パスワードといった消費者登録の基本情報について消費者に問う基本情報入力欄１０３、住所や電話番号といった生活環境について消費者に問う生活環境情報入力欄１０４、同居人やペットといった家族について消費者に問う家族情報入力欄１０５、等を示したものとなっている。また、この消費者情報入力画面１００には、これら入力された消費者情報の取り消しを求める「取消」ボタン１０８と、同消費者情報の登録を求める「登録」ボタン１０９が表示されている。
したがって、ショッピングサイトでの商品の購入を希望する場合は、消費者情報の入力（チェック）を完了した後、消費者情報入力画面１００において登録ボタン１０９を選択（クリック）することによって消費者情報を登録する。
【００４７】
また、本サーバ１０は、広告情報と、当該広告ごとに付与した広告ＩＤと、当該広告を依頼する広告主ＩＤと、前記ショッピングサイトにて広告掲載を実行する場合の条件を示す消費者条件情報と、を互いに関連付けて広告情報記憶部ＤＢ４に記憶しておく（（Ｄ）参照）。
また、本サーバ１０は、広告ＩＤと、消費者個人情報の提供に応じて消費者が購入する商品の代金の一部負担を行なう額を示す割引負担額情報と、割引きの適用を実行する商品購入合計金額の範囲を示す割引対象購入額情報と、を互いに関連付けて割引負担額情報記憶部ＤＢ５に記憶しておく（（Ｅ）参照）。
また、本サーバ１０は、商品ごとに付与した商品ＩＤと、当該商品の価格情報と、前記商品を販売する前記店舗ＩＤとを互いに関連付けて商品情報記憶部ＤＢ６に記憶しておく（（Ｆ）参照）。
【００４８】
そして、消費者は消費者端末３０を起動し、通信ネットワークＮＷを介して本サーバ１０に接続し、本サーバ１０に構築されたショッピングサイトにアクセスして当該ショッピングサイトのホームページをダウンロードする。
次に、消費者はショッピングサイトを訪問し、ショッピングサイト内に設けられた複数の店舗の中から気に入った所望の商品を購入するため、たとえば消費者端末３０のディスプレイに表示されたショッピングサイト上に掲載されている、商品に対応した「カートに入れる」ボタン等を選択（クリック）することによって、注文情報を消費者端末３０より本サーバ１０対して送信する（（１１）参照）。
このショッピングサイトは、たとえば図１５に示すような形で表すことが出来る。図１５は、本サーバ１０と接続した消費者端末３０のディスプレイに表示されたショッピングサイト画面の一例を示す図である。このショッピングサイト画面１１０には、ショッピングサイト内に設けられた複数の商品カテゴリーを表示し、当該商品カテゴリーを選択することでさらに詳細な店舗情報を表示可能とする商品カテゴリー選択ボタン表示欄１１１、ショッピングサイトにて販売する商品の映像１１２ａ，１１２ｂ，１１２ｃ・・・と、当該商品を購入する意思表示を行なう「カートに入れる」ボタン１１３ａ，１１３ｂ，１１３ｃ・・・と、前記商品を購入する意思表示を行なった商品の購入を個別に取り止める「取消」ボタン１１４ａ，１１４ｂ，１１４ｃ・・・、からなる商品情報表示欄１１５が表示されている。また、このショッピングサイト画面１１０には、購入する意思表示を行なった商品の購入を全て取り止める「全て取消」ボタン１１８と、商品を購入する意思表示を行なった商品を確認する「カートを確認」ボタン１１９が表示されている。
したがって、ショッピングサイトでの商品の購入を希望する場合は、商品カテゴリー選択ボタンを選択して所望の情報を表示させ、商品情報表示欄１１５に表示された商品の映像１１２等を確認しながら、所望の商品に対応する「カートに入れる」ボタン１１３を選択し、その後「カートを確認」ボタン１１９を選択する。
【００４９】
これにより、消費者ＩＤと、購入を希望する商品ＩＤと当該商品の購入希望個数情報と当該商品を販売する店舗ＩＤとを含む注文情報が消費者端末３０から本サーバ１０へ送信され、本サーバ１０は、消費者端末３０より送られた注文情報を受信する（（１２）参照）。
また、本サーバ１０は、消費者端末３０より商品の購入を終了する決済情報を受信するまで当該注文情報をまとめて記憶する（（１３）参照）。
【００５０】
また、購入する意思表示を行なった商品の確認は、たとえば図１６に示すような形で表すことが出来る。図１６は、本サーバ１０と接続した消費者端末３０のディスプレイに表示されたショッピングカート確認画面の一例を示す図である。このショッピングカート確認画面１２０には、購入した商品のお届け先と、お買い物商品を表示する配送情報表示欄１２１と、購入希望した商品の費用を表示する注文内容情報表示欄１２２が設けられており、ここでは、お買い物商品として、２，２５０円の商品Ａを１個、３，６１０円の商品Ｄを１個、２，８５０円の商品Ｆを１個、を購入希望し、購入希望した商品の代金が８，７１０円、配送料・手数料が０円、注文合計金額が８，７１０円、であることが表示されている。この配送情報表示欄１２１には、お届け先の変更を求める「変更」ボタン１２１ａと、購入希望した商品の購入希望個数の変更を求める「数量の変更・削除」ボタン１２１ｂが設けられている。また、ショッピングカート確認画面１２０には、購入希望した商品の代金の割引きを希望する「割引きを選択」ボタン１２８と、購入希望した商品の費用の割引きを希望せずにそのまま決済を希望する「注文を確定」ボタン１２９が表示されている。
【００５１】
したがって、商品の購入を終了する場合、ショッピングサイトで購入希望した商品の代金の割引きを希望するのであれば、「割引きを選択」ボタン１２８を選択し、一方、当該商品の代金の割引きを希望せずに決済を希望するのであれば、「注文を確定」ボタン１２９を選択することによって、前記決済情報が消費者端末３０から本サーバ１０へ送信される（（１４）参照）。
これにより、本サーバ１０は、消費者端末３０より送られた決済情報を受信する（（１５）参照）。
【００５２】
本サーバ１０は、前記決済情報の受信に応じ、前記注文情報の記憶を終了すると共に、店舗情報記憶部ＤＢ２を参照し前記注文情報に含まれる店舗ＩＤに基づき店舗情報を抽出すると共に、当該店舗端末５０に対して前記注文情報を送信する（（１６）参照）。
店舗端末５０は、本サーバ１０より送信された注文情報を受信する（（１７）参照）。
そして、店舗端末５０より注文情報を受信した店舗では、たとえば物流業者に対して注文を受けた商品を消費者に対して配送する指示を出し、物流業者は、配送指示を受けた商品を梱包して消費者に配送する（（１８）参照）。
【００５３】
また、本サーバ１０は、前記決済情報の受信に応じ、商品情報記憶部ＤＢ６を参照して前記注文情報に含まれる少なくとも商品ＩＤに基づき当該商品の価格情報を抽出し、当該価格情報に、前記注文情報に含まれる購入希望個数情報を乗じて商品購入合計金額となる決済額を算出する（（１９）参照）。
次に、本サーバ１０は、前記決済額の算出に応じ、消費者情報記憶部ＤＢ３を参照し、前記注文情報に含まれる消費者ＩＤに基づき消費者情報を抽出すると共に、広告情報記憶部ＤＢ４を参照して広告ＩＤと共に消費者条件情報を抽出する（（２０）参照）。
引き続き、本サーバ１０は、前記消費者情報と前記消費者条件情報とを比較して、広告掲載を実行するか否か判定する（（２１）参照）。
また、本サーバ１０は、広告掲載実行の判定後さらに、割引適用情報記憶部ＤＢ７を参照して消費者ＩＤと広告ＩＤに基づき既に割引きの適用を受けた広告の排除を行なう（（２２）参照）。
そして、本サーバ１０は、広告掲載実行の判定に応じ、まとめて記憶する前記注文情報を消費者ごとに決済情報記憶部ＤＢ８へ記憶する（（２３）参照）。
【００５４】
本サーバ１０は、判定の結果、前記消費者情報が前記消費者条件情報に合致して広告掲載を実行する場合に、広告情報記憶部ＤＢ４を参照して広告ＩＤに基づき広告情報を抽出する（（２４）参照）。
次いで、本サーバ１０は、広告情報を抽出した後、さらに割引負担額情報ＤＢ５を参照して前記広告ＩＤに基づき割引対象購入額情報を抽出し、当該割引対象購入額情報と前記決済額情報とを比較する（（２５）参照）。
そして、本サーバ１０は、ショッピングサイトに掲載する広告を決定する（（２６）参照）。
【００５５】
また、本サーバ１０は、前記広告情報の決定に伴い、割引負担額情報ＤＢ５を参照して当該広告ＩＤに基づき割引負担額情報を抽出する（（２７）参照）。
次いで、本サーバ１０は、前記決済額情報と前記広告情報と前記割引負担額情報からなる割引広告情報を前記消費者端末３０へ送信する（（２８）参照）。
【００５６】
消費者端末３０は、本サーバ１０より送信された割引広告情報を受信する（（２９）参照）。
引き続き消費者端末３０は、受信した割引広告情報の中から興味のある割引広告情報を選択し、選択した割引広告を特定する割引広告選択情報を本サーバ１０へ送信する（（３０）参照）。
この割引広告情報の選択は、たとえば図１７に示すような形で表すことが出来る。図１７は、本サーバ１０と接続した消費者端末３０のディスプレイに表示された割引広告選択画面の一例を示す図である。この割引広告選択画面１３０には、購入した商品のお届け先を表示する配送情報表示欄１３１と、消費者情報及び商品の購入合計額によって決定した割引広告を表示する割引広告表示欄１３４が設けられ、ここでは、１番目の割引広告情報として、Ａ社商品の資料請求を望むことによって買い物金額から３００円を割引くＡ社広告１３２ａと、当該割引広告による割引きの適用を受けることを望む意思表示を行なう「割引きカートに入れる」ボタン１３３ａ、２番目の割引広告情報として、Ｂ社商品の資料請求を望むことによって買い物金額から１６００円を割引くＢ社広告１３２ｂと、当該割引広告による割引きの適用を受けることを望む意思表示を行なう「割引きカートに入れる」ボタン１３３ｂ、３番目の割引広告情報として、Ｃ社商品の見積りを望むことによって買い物金額から２０００円を割引くＣ社広告１３２ｃと、当該割引広告による割引きの適用を受けることを望む意思表示を行なう「割引きカートに入れる」ボタン１３３ｃ、・・・であることが表示されている。また、それぞれの広告１３２ａ，１３２ｂ，１３２ｃ・・・の下段には、次回から表示することを望まない意思表示を行なう「興味がありません」チェックボックスが設けられている。また、割引広告選択画面１３０には、次の割引広告の表示を希望する「割引きを選択」ボタン１３８と、割引広告を選択せずに又は既に選択した割引広告による割引の適用での決済を希望する「注文を確定」ボタン１３９が表示されている。
したがって、前記割引広告選択画面１３０に現在表示されている割引広告以外の割引広告の表示を希望するのであれば、「割引きを選択」ボタン１２８を選択し、割引の適用を希望する割引広告の選択を継続する。
【００５７】
また、本サーバ１０は、消費者端末３０より割引広告選択情報を受信する（（３１）参照）。
次いで、本サーバ１０は、割引広告選択情報の受信後、割引広告情報の選択を終了する割引広告選択終了情報を受信するまで当該割引広告情報をまとめて記憶する（（３２）参照）。
一方、消費者端末３０は、割引広告を選択せずに又は既に幾つかの割引広告を選択しており、これらの割引広告による割引の適用での決済を希望するのであれば、「注文を確定」ボタン１２９を選択することによって、割引広告選択終了情報を本サーバ１０へ送信する（（３３）参照）。
本サーバ１０は、消費者端末３０より割引広告選択終了情報を受信する（（３４）参照）。
引き続き本サーバ１０は、割引広告選択終了情報の受信に応じ、幾つかの割引広告が選択されていたのであれば、受信した割引広告情報の中から最終的に割引の適用を受けることを希望する割引広告情報を選択してもらうために、まとめて記憶する当該割引広告情報を消費者端末３０へ送信する（（３５）参照）。
【００５８】
消費者端末３０は、本サーバ１０より選択された割引広告情報を受信する（（３６）参照）。
引き続き消費者端末３０は、受信した割引広告情報の中から最終的に割引の適用を受けることを希望する割引広告情報を選択し、選択した割引広告を特定する割引広告確定情報を本サーバ１０へ送信する（（３７）参照）。
この最終的に割引の適用を受けることを希望する割引広告情報の特定は、たとえば図１８に示すような形で表すことが出来る。図１８は、本サーバ１０と接続した消費者端末３０のディスプレイに表示された割引カート確認画面の一例を示す図である。この割引カート確認画面１４０には、購入した商品のお届け先を表示する配送情報表示欄１４１と、購入希望した商品の画像と費用と数量を表示するご注文内容情報表示欄１４２と、割引の適用を受けることを希望するため選択された割引広告情報を表示する選択可能な割引広告表示欄１４３が設けられ、ここでは、お買い物商品として、２，２５０円の商品Ａを１個、３，６１０円の商品Ｄを１個、２，８５０円の商品Ｆを１個、を購入希望し、購入希望した商品の代金が８，７１０円、配送料・手数料が０円、注文合計金額が８，７１０円、一方、選択可能な割引広告として、Ａ社商品の資料請求を望むことによって買い物金額から３００円を割引くＡ社広告１４３ａ、Ｅ社商品の資料請求を望むことによって買い物金額から１５００円を割引くＥ社広告１４３ｅ、Ｇ社商品の資料請求を望むことによって買い物金額から５００円を割引くＧ社広告１４３ｇ・・・が表示されている。また、割引カート確認画面１４０には、割引広告の選択をやり直すために再度割引広告の表示を希望する「割引きを選択」ボタン１４８と、特定した割引広告による割引の適用での決済を希望する「注文を確定」ボタン１４９が表示されている。
したがって、割引カート確認画面１４０に現在表示されている割引広告以外の割引広告の表示を希望するのであれば、「割引きを選択」ボタン１４８を選択し、特定した割引広告による割引の適用での決済を希望するのであれば、「注文を確定」ボタン１４９を選択する。ここでは、Ｅ社広告１４３ｅが特定されたことが表示されている。
【００５９】
本サーバ１０は、消費者端末３０より、割引広告情報の中から割引きの適用を受ける割引広告情報を特定する割引広告確定情報を消費者ＩＤと共に受信する（（３８）参照）。
次いで、本サーバ１０は、前記割引広告確定情報を受信した後、当該広告に対する前記割引負担額情報に基づいて、前記消費者が負担する消費者費用と前記広告主が負担する広告主費用とを算出する（（３９）参照）。消費者費用と広告主費用と算出は、たとえば図１９に示すような形で表すことが出来る。図１９は、割引を適用した決済方式を説明する図である。ここでは、消費者が購入を希望した商品の注文合計金額が８７１０円であり、割引広告の適用を希望したことにより、広告主費用として値引きされる値引き額が１５００円、一方、消費者費用として支払いが求められる消費者支払額が７２１０円であることが示されている。
【００６０】
この際、消費者が購入を希望する商品が複数ある場合、商品ごともしくは当該商品を販売する店舗ごとに、前記決済額の比率に応じて、前記消費者が負担する消費者費用と前記広告主が負担する広告主費用とを算出するようにしても良い。決済額の比率に応じた消費者費用と広告主費用と算出は、たとえば図２０に示すような形で表すことが出来る。図２０は、割引を適用した決済方式を説明する図である。ここでは、２２５０円の商品Ａ、３６１０円の商品Ｄ、２８５０円の商品Ｆを購入した場合、決済額の比率として、商品Ａの売上比率が０．２５８３２、商品Ｄの売上比率が０．４１４４７、商品Ｆの売上比率が０．３２７２１となり、この売上比率より、商品Ａに対して、広告主費用として値引きされる広告主支払額（広告費）が３８７円、消費者費用として支払いが求められる消費者支払額が１８６３円、また、商品Ｄに対して、広告主費用として値引きされる広告主支払額（広告費）が６２２円、消費者費用として支払いが求められる消費者支払額が２９８８円、また、商品Ｆに対して、広告主費用として値引きされる広告主支払額（広告費）が４９１円、消費者費用として支払いが求められる消費者支払額が２３５９円、であることが示されている。
【００６１】
引き続き本サーバ１０は、それぞれ求められた、消費者費用情報を消費者端末３０へ送信し、一方、広告主費用情報を広告依頼者端末７０へ送信する（（４０）参照）。
消費者端末３０では、消費者費用情報を受信し（（４１ａ）参照）、広告依頼者端末７０では、広告主費用情報を受信する（（４２ｂ）参照）。
そして、本サーバ１０は、前記広告主費用の決定に応じ、広告主情報ＤＢ１を参照して前記広告主ＩＤに基づき広告主情報を抽出し、前記割引確定情報を送信した消費者の連絡先情報を当該広告依頼者端末７０へ送信する（（４２）参照）。
【００６２】
その後、広告依頼者端末７０より消費者の連絡先情報を受信した広告主は、たとえば電子メールやファクシミリによって広告に掲載した商品の資料を送信したり（（４３ａ）参照）、郵送や宅配便によって広告に掲載した商品の資料を送付したりすることにより（（４３ｂ）参照）、ショッピングサイトに広告を掲載した後に、継続した積極的な営業活動を行う。
【００６３】
次に、以上のような構成による本サーバ１０の基本的な動作の一例を、図１２及び図１３を参照しながら説明する。図１２及び図１３は、上記構成の本サーバ１０での流れを示すフローチャートである。
図１２に示されるように、まず、注文情報受信部１１が、消費者端末３０より送信された、消費者ＩＤと購入を希望する商品ＩＤと当該商品の購入希望個数情報と当該商品を販売する店舗ＩＤとを含む注文情報を受信したか否か判断する（Ｓ１１）。
その結果、注文情報受信部１１が注文情報を受信した場合（Ｙ）、注文情報受信部１１は、商品の購入を終了する決済情報を受信するまで当該注文情報をまとめて記憶する（Ｓ１２）。
【００６４】
一方、注文情報受信部１１が注文情報を受信していない場合（Ｎ）次に、決済情報受信部１２が、消費者端末より３０より送信された、消費者ＩＤを含む決済情報を受信したか否か判断する（Ｓ１３）。
その結果、決済情報受信部１２が決済情報を受信した場合（Ｙ）、決済情報受信部１２は、当該決済情報を受信した旨を通知する情報を前記注文情報受信部１１へ送信し、当該注文情報受信部１１は、前記注文情報を第一決済実行部１３へ送信する。これにより、注文情報受信部１１では、当該情報の受信に応じて注文情報をまとめて記憶する処理を終了する。
また、第一決済実行部１３は、当該情報の受信に応じ店舗情報記憶部ＤＢ２を参照し、前記注文情報に含まれる店舗ＩＤに基づき店舗情報を抽出すると共に、当該店舗情報に基づいて特定した店舗端末５０に対して前記注文情報を送信する（Ｓ１４）。
【００６５】
また、第一決済実行部１３は、商品情報記憶部ＤＢ６を参照して前記注文情報に含まれる少なくとも商品ＩＤに基づき当該商品の価格情報を抽出し、当該価格情報に、前記注文情報に含まれる購入希望個数情報を乗じて商品購入合計金額となる決済額を算出する（Ｓ１５）。
決済額の算出後、第一決済実行部１３は、前記注文情報及び、決済額を算出した旨を通知する情報を、掲載広告決定部１４へ送信すると共に、算出した決済額情報を割引広告情報送信部１５へ送信する。
【００６６】
掲載広告決定部１４は、前記第一決済実行部１３での決済額の算出に応じ、消費者情報記憶部ＤＢ３を参照し、前記注文情報に含まれる消費者ＩＤに基づき消費者属性情報を抽出する（Ｓ１６）。
また、掲載広告決定部１４は、引き続き広告情報記憶部ＤＢ４を参照して広告ＩＤと共に消費者属性条件情報を抽出し、前記消費者属性情報と前記消費者属性条件情報とを比較して、広告掲載を実行するか否か判定する（Ｓ１７）。
また、掲載広告決定部１４は、広告掲載実行の判定後さらに、割引適用情報記憶部ＤＢ７を参照して消費者ＩＤと広告ＩＤに基づき既に割引きの適用を受けた広告の排除を行なう（Ｓ１８）。
そして、掲載広告決定部１４では、前記注文情報を決済情報記憶部ＤＢ８へ送信する（Ｓ１９）。
【００６７】
また、掲載広告決定部１４は、判定の結果、前記消費者属性情報が前記消費者属性条件情報に合致して広告掲載を実行する場合に、広告情報記憶部ＤＢ４を参照して広告ＩＤに基づき広告情報を抽出する（Ｓ２０）。
また、掲載広告決定部１４は、前記広告ＩＤに基づき広告情報を抽出した後、さらに割引負担額情報ＤＢ５を参照して前記広告ＩＤに基づき割引対象購入額情報を抽出し、当該割引対象購入額情報と前記決済額情報とを比較する（Ｓ２１）。
また、掲載広告決定部１４は、前記比較に応じてショッピングサイトに掲載する広告を決定する（Ｓ２２）。
そして、掲載広告決定部１４では、抽出した広告情報を割引広告情報送信部１５へ送信する。
【００６８】
さらに、掲載広告決定部１４は、前記広告情報の決定に伴い、割引負担額情報ＤＢ５を参照して当該広告ＩＤに基づき割引負担額情報を抽出する（Ｓ２３）。
そして、掲載広告決定部１４は、抽出した割引負担額情報を割引広告情報送信部１５へ送信すると共に、前記割引負担額情報及び前記第一決済実行部１３より受信した決済額情報を第二決済実行部２０へ送信する。
【００６９】
割引広告情報送信部１５は、第一決済実行部１３が算出した前記決済額情報と、掲載広告決定部１４が抽出した前記広告情報及び前記割引負担額情報を受信し、これらの情報からなる割引広告情報を全て、消費者端末３０へ送信する（Ｓ２４）。
【００７０】
また、決済情報受信部１２が、決済情報を受信していない場合（Ｎ）、次に、割引広告選択情報受信部１６が、割引広告情報の中から興味のある割引広告情報を選択する割引広告選択情報を受信したか否か判断する（Ｓ２５）。
その結果、割引広告選択情報受信部１６が前記割引広告選択情報を受信した場合（Ｙ）、割引広告選択情報受信部１６は、割引広告情報の選択を終了する割引広告選択終了情報を受信するまで当該割引広告情報をまとめて記憶する（Ｓ２６）。
一方、割引広告選択情報受信部１６が前記割引広告選択情報を受信していない場合（Ｎ）、次に、割引広告選択終了情報受信部１７が、割引広告選択終了情報を受信したか否か判断する（Ｓ２７）。
【００７１】
その結果、割引広告選択終了情報受信部１７が消費者ＩＤを含む割引広告選択終了情報を受信した場合（Ｙ）、割引広告選択終了情報受信部１７は、当該割引広告選択終了情報を受信した旨を通知する情報を、前記割引広告選択情報受信部１６へ送信する。
割引広告選択情報受信部１６は、前記割引広告選択終了情報受信部１７からの割引広告選択終了情報の受信に応じ、前記割引広告情報を選択割引広告情報送信部１８へ送信する。
選択割引広告情報送信部１８は、割引広告選択情報受信部１６より受信した前記割引広告情報を全て、消費者端末３０へ送信する処理を行なう（Ｓ２８）。
【００７２】
一方、割引広告選択終了情報受信部１７が前記割引広告選択終了情報を受信していない場合（Ｎ）、次に、割引広告確定情報受信部１９が、選択した割引広告情報の中から割引きの適用を受ける割引広告情報を特定する割引広告確定情報を受信したか否か判断する（Ｓ２９）。
その結果、割引広告確定情報受信部１９が前記割引広告確定情報を受信した場合（Ｙ）、割引広告確定情報受信部１９は、当該割引広告確定情報を前記掲載広告決定部１４へ送信する。
掲載広告決定部１４では、割引広告確定情報受信部１９より割引きの適用を受ける割引広告情報を確定する割引広告確定情報を受信し、割引負担額情報ＤＢ５を参照して当該割引広告情報に応じた割引負担額情報を抽出し、第二決済実行部２０へ送信する。
【００７３】
第二決済実行部２０は、当該消費者に対する前記決済額情報と、当該広告に対する前記割引負担額情報に基づいて、前記消費者が負担する消費者費用と前記広告主が負担する広告主費用とを算出する（Ｓ３０）。
また、第二決済実行部２０は、消費者が購入を希望する商品が複数ある場合、商品ごともしくは当該商品を販売する店舗ごとに、前記決済額の比率に応じて、前記消費者が負担する消費者費用と前記広告主が負担する広告主費用とを算出する。
また、第二決済実行部２０は、消費者費用を消費者端末３０へ通知し、広告主費用を広告主端末７０へ通知する（Ｓ３１）。
そして、第二決済実行部２０は、広告主費用情報を算出した旨を通知する情報を、割引適用消費者情報送信部２１へ送信する。
【００７４】
割引適用消費者情報送信部２１は、第二決済実行部２０での前記広告主費用の決定に応じ、広告主情報ＤＢ１を参照して前記広告主ＩＤに基づき広告主情報を抽出し、前記割引確定情報を送信した消費者の連絡先情報を広告依頼者端末７０へ送信する（Ｓ３２）。
これにより、本サーバ１０での一連の動作は終了（エンド）する。
一方、割引広告確定情報受信部２１が前記割引広告確定情報を受信していない場合（Ｎ）は、再度、注文情報受信部１１が、消費者端末３０より送信された注文情報を受信したか否か判断を繰り返す（Ｓ１１）。
【００７５】
以上のように本実施形態では、ショッピングサイトへ掲載した割引広告情報に対する消費者の積極的な行動に応じ、広告主は、消費者が当該ショッピングサイトにおいて購入する商品の代金の一部を負担する代わりに当該消費者の連絡先といった個人情報の提供を受け、当該個人情報に基づいて、資料や見積りの送付といった今後に繋がる効果的な営業活動を効率良く行うことが出来ることとなる。また、消費者は、個人情報を有効に活用することで、懸賞品のプレゼントのような広告主（企業）側が選んだ景品等を得ることよりも実効的かつ魅力的なサービスとして、自分が欲している商品を安く購入するために割引きが適用された決済を受けることが出来る。さらに、店舗は、商品を購入してくれる消費者にとってよりメリットのある割引広告を掲載することで、ショッピングサイトへの集客及び商品の販売促進が期待出来るものとなる。
【図面の簡単な説明】
【００７６】
【図１】本発明に係るショッピング支援装置の実施形態の一例を示すブロック構成図である。
【図２】本発明に係るショッピング支援装置が備える広告主情報記憶部に記憶されているデータベース構造の一例である。
【図３】本発明に係るショッピング支援装置が備える店舗情報記憶部に記憶されているデータベース構造の一例である。
【図４】本発明に係るショッピング支援装置が備える消費者情報記憶部に記憶されているデータベース構造の一例である。
【図５】本発明に係るショッピング支援装置が備える広告情報記憶部に記憶されているデータベース構造の一例である。
【図６】本発明に係るショッピング支援装置が備える割引負担額情報記憶部に記憶されているデータベース構造の一例である。
【図７】本発明に係るショッピング支援装置が備える商品情報記憶部に記憶されているデータベース構造の一例である。
【図８】本発明に係るショッピング支援装置が備える割引適用情報記憶部に記憶されているデータベース構造の一例である。
【図９】本発明に係るショッピング支援装置が備える決済情報記憶部に記憶されているデータベース構造の一例である。
【図１０】本発明に係るショッピング支援方法の処理の流れを示すシーケンス図である。
【図１１】図１０に示すショッピング支援方法の処理の流れの続きを示すシーケンス図である。
【図１２】本発明に係るショッピング支援装置での情報処理の一例を示すフローチャートである。
【図１３】図１２に示すショッピング支援装置での情報処理の続きを示すフローチャートである。
【図１４】本発明に係るショッピング支援装置と接続した消費者端末のディスプレイに表示された消費者情報登録画面の一例を示す模式図である。
【図１５】本発明に係るショッピング支援装置と接続した消費者端末のディスプレイに表示されたショッピングサイト画面の一例を示す模式図である。
【図１６】本発明に係るショッピング支援装置と接続した消費者端末のディスプレイに表示されたショッピングカート確認画面の一例を示す模式図である。
【図１７】本発明に係るショッピング支援装置と接続した消費者端末のディスプレイに表示された割引広告選択画面の一例を示す模式図である。
【図１８】本発明に係るショッピング支援装置と接続した消費者端末のディスプレイに表示された割引カート確認画面の一例を示す模式図である。
【図１９】本発明に係るショッピング支援方法において割引を適用した決済方式を説明する図である。
【図２０】本発明に係るショッピング支援方法において複数の商品に対して商品ごとに割引を適用した決済方式を説明する図である。
【符号の説明】
【００７７】
ＤＢ１  広告主情報記憶部（第一記憶部）、ＤＢ２  店舗情報記憶部（第二記憶部）、ＤＢ３  消費者情報記憶部（第三記憶部）、ＤＢ４  広告情報記憶部（第四記憶部）、ＤＢ５  割引負担額情報記憶部（第五記憶部）、ＤＢ６  商品情報記憶部（第六記憶部）、ＤＢ７  割引適用情報記憶部（第七記憶部）、ＤＢ８  決済情報記憶部（第八記憶部）、ＮＷ  通信ネットワーク、１０  ショッピング支援装置（本サーバ）、１１  注文情報受信部、１２  決済情報受信部、１３  第一決済実行部、１４  掲載広告決定部、１５  割引広告情報送信部、１６  割引広告選択情報受信部、１７  割引広告選択終了情報受信部、１８  選択割引広告情報送信部、１９  割引広告確定情報受信部、２０  第二決済実行部、２１  割引適用消費者情報送信部、３０  消費者端末、５０  店舗端末、７０  広告主端末。
【図１】
2008097140.tif 000003
【図２】
2008097140.tif 000004
【図３】
2008097140.tif 000005
【図４】
2008097140.tif 000006
【図５】
2008097140.tif 000007
【図６】
2008097140.tif 000008
【図７】
2008097140.tif 000009
【図８】
2008097140.tif 000010
【図９】
2008097140.tif 000011
【図１０】
2008097140.tif 000012
【図１１】
2008097140.tif 000013
【図１２】
2008097140.tif 000014
【図１３】
2008097140.tif 000015
【図１４】
2008097140.tif 000016
【図１５】
2008097140.tif 000017
【図１６】
2008097140.tif 000018
【図１７】
2008097140.tif 000019
【図１８】
2008097140.tif 000020
【図１９】
2008097140.tif 000021
【図２０】
2008097140.tif 000022